(57)【要約】  流体（２）を運搬する運搬管（９）を備えた流体（２）用ネブライザ（１）及び厚肉細管の製造方法が開示される。運搬管（９）又は細管は、多部品、及び（又は）、二重壁構造のものであり、特に多数の部品、例えば、内側管（２３）及び外側管（２４）で構成される。これにより、特に内径が非常に小さい場合、細管を容易且つ安価に製造できる。
2008543466.tif 000002
【特許請求の範囲】
【請求項１】
流体（２）用のネブライザ（１）であって、前記流体（２）を運搬する運搬管（９）を有し、特に、前記運搬管（９）は、厚肉細管として構成されていることを特徴とする、ネブライザにおいて、
前記運搬管（９）は、二重壁構造のものであることを特徴とするネブライザ。
【請求項２】
前記運搬管（９）は、内側管（２３）、及び、外側管（２４）のうちの少なくとも一方を有することを特徴とする、請求項１記載のネブライザ。
【請求項３】
前記内側管（２３）と前記外側管（２４）との間には、特に中空の環状空間（２６）が形成され、前記環状空間は、好ましくは、ガス密状態に密閉されていることを特徴とする、請求項２記載のネブライザ。
【請求項４】
前記内側管（２３）と前記外側管（２４）は、互いに同心状に延びていることを特徴とする、請求項２又は３記載のネブライザ。
【請求項５】
前記内側管（２３）は、半径方向に幅の広くなった連結部分（３５）、スペーサ要素（３９）、及び、弁部材のうちの少なくとも一方、又は、連結部材（４０）によって前記外側管（２４）に連結され、特に溶接されると共に、（或いは）、接着されていることを特徴とする、請求項２から４のうちいずれか一項に記載のネブライザ。
【請求項６】
前記連結部分（３５）は、前記内側管（２３）の一端部に形成され、好ましくは、成形されていることを特徴とする、請求項５記載のネブライザ。
【請求項７】
前記連結部分（３５）は、少なくとも実質的に前記外側管（２４）の内径に一致した外径を有することを特徴とする、請求項５又は６記載のネブライザ。
【請求項８】
前記連結部分（３５）は、前記外側管（２４）の端部と面一をなして終端し、又は、これから引っ込んで終端していることを特徴とする、請求項５から７のうちいずれか一項に記載のネブライザ。
【請求項９】
前記連結部分（３５）は、特に弁座（３３）を形成する円錐形領域を有することを特徴とする、請求項５から８のうちいずれか一項に記載のネブライザ。
【請求項１０】
前記連結部分（３５）の長さは、前記運搬管（９）の全長の２０％未満であり、特に１０％未満であることを特徴とする、請求項５から９のうちいずれか一項に記載のネブライザ。
【請求項１１】
前記スペーサ要素（３９）、及び、前記弁部材のうちの少なくとも一方、又は、連結部材（４０）は、前記内側管（２３）及び前記外側管（２４）とは別個に特に深絞り成形により作られたコンポーネントであり、又は、かかるコンポーネントとして形成されていることを特徴とする、請求項５から１０のうちいずれか一項に記載のネブライザ。
【請求項１２】
前記弁部材又は連結部材（４０）は、運搬管（９）、又は、前記内側管（２３）、及び、前記外側管（２４）のうちの少なくとも一方の端に設けられていることを特徴とする、請求項５から１１のうちいずれか一項に記載のネブライザ。
【請求項１３】
前記弁部材又は連結部材（４０）は、少なくとも実質的に前記外側管（２４）、又は、運搬管（９）の外径に一致している外径を備えた弁領域（３１）を有し、又は、これを形成していることを特徴とする、請求項５から１２のうちいずれか一項に記載のネブライザ。
【請求項１４】
前記弁部材又は連結部材（４０）は、特に弁座（３３）を形成する円錐形領域を有することを特徴とする、請求項５から１３のうちいずれか一項に記載のネブライザ。
【請求項１５】
前記弁部材又は連結部材（４０）の長さは、前記運搬管（９）の全長の２０％未満であり、特に１０％未満であることを特徴とする、請求項５から１４のうちいずれか一項に記載のネブライザ。
【請求項１６】
前記スペーサ要素（３９）は、スリーブ状構造のものであることを特徴とする、請求項５から１５のうちいずれか一項に記載のネブライザ。
【請求項１７】
前記スペーサ要素（３９）の長さは、前記運搬管（９）の全長の２０％未満であり、特に１０％未満であることを特徴とする、請求項５から１６のうちいずれか一項に記載のネブライザ。
【請求項１８】
前記スペーサ要素（３９）の肉厚は、前記外側管（２４）の内径と前記内側管（２３）の外径との差の少なくとも約５０％に等しいことを特徴とする、請求項５から１７のうちいずれか一項に記載のネブライザ。
【請求項１９】
前記運搬管（９）は、特に溶接、及び、接着のうちの少なくとも一方により数個の部品で構成されることを特徴とする、請求項１から１８のうちいずれか一項に記載のネブライザ。
【請求項２０】
前記運搬管（９）又は前記運搬管（９）の前記部品の幾つか、又は、全ては、本質的に、又は、全体が金属、好ましくは、ステンレス鋼、特にオーステナイト系クロムニッケル鋼から成ることを特徴とする、請求項１から１９のうちいずれか一項に記載のネブライザ。
【請求項２１】
前記運搬管（９）は、特に一端（２２）のところに弁（１０）を有することを特徴とする、請求項１から２０のうちいずれか一項に記載のネブライザ。
【請求項２２】
前記弁（１０）は、前記外側管（２４）内に形成され、又は、配置されていることを特徴とする、請求項２又は２１記載のネブライザ。
【請求項２３】
前記弁（１０）は、前記運搬管（９）、又は、これに連結された弁部材、又は、連結部材（４０）により形成された弁座（３３）を有することを特徴とする、請求項２１又は２２記載のネブライザ。
【請求項２４】
前記運搬管（９）は、前記運搬管（９）にしっかりと連結されている別個に作られた弁部材又は連結部材（４０）を有し、前記弁部材、又は、連結部材（４０）は、特に、前記弁（１０）の弁部材（３２）のための受け入れチャンバ、又は、弁室（３１）を形成していることを特徴とする、請求項２１から２３のうちいずれか一項に記載のネブライザ。
【請求項２５】
前記運搬管（９）は、少なくとも実質的に滑らかな、又は、円筒形の外壁（２４）の長さにわたって、及び、少なくとも実質的に前記運搬管の長さにわたってのうちの少なくとも一方において、一定である外径を有することを特徴とする、請求項１から２４のうちいずれか一項に記載のネブライザ。
【請求項２６】
前記運搬管（９）は、外側に、半径方向突出部（３６）、特に、フランジ状圧着縁部、及び、半径方向凹みのうちの少なくとも一方、又は、凹部（３４，３７）、及び、環状溝、窪み、又は、ビードを有することを特徴とする、請求項１から２５のうちいずれか一項に記載のネブライザ。
【請求項２７】
前記運搬管（９）の外径は、１から２ｍｍの外径を有することを特徴とする、請求項１から２６のうちいずれか一項に記載のネブライザ。
【請求項２８】
前記運搬管（９）の長さは、少なくとも５０ｍｍであると共に、（或いは）、前記運搬管（９）の内径の少なくとも５０倍であることを特徴とする、請求項１から２７のうちいずれか一項に記載のネブライザ。
【請求項２９】
前記運搬管（９）の内径は、０．１から０．６ｍｍの内径を有することを特徴とする、請求項１から２８のうちいずれか一項に記載のネブライザ。
【請求項３０】
前記運搬管（９）は、前記内径の少なくとも２倍又は３倍である外径を有することを特徴とする、請求項１から２９のうちいずれか一項に記載のネブライザ。
【請求項３１】
前記運搬管（９）は、少なくとも０．３ｍｍ、特に実質的に０．５ｍｍ以上の肉厚を有することを特徴とする、請求項１から３０のうちいずれか一項に記載のネブライザ。
【請求項３２】
前記ネブライザ（１）は、前記運搬管（９）が、流体の抜き出し中、流体の運搬中、圧力発生中、及び、噴霧化中のうちの少なくとも一方において、好ましくは、ストローク状の運動を行うように構成されていることを特徴とする、請求項１から３１のうちいずれか一項に記載のネブライザ。
【請求項３３】
前記ネブライザ（１）は、前記流体（２）を収容した流体チャンバ（４）を備えた、好ましくは、挿入可能な容器（３）を有し、前記容器は、特に、前記流体（２）を前記容器（３）から取り出すために前記運搬管（９）を取り付け、又は、挿入することにより開かれることを特徴とする、請求項１から３２のうちいずれか一項に記載のネブライザ。
【請求項３４】
前記ネブライザ（１）は、特に医療用エーロゾル治療又は化粧目的の吸入器として、特に香水噴霧器として構成されていることを特徴とする、請求項１から３３のうちいずれか一項に記載のネブライザ。
【請求項３５】
特に請求項１から３４のうちいずれか一項に記載のネブライザ（１）用の運搬管（９）として厚肉細管を製造する方法であって、前記細管は、数個の部品から成る厚肉構造のものであると共に、（或いは）、前記細管を形成するために内側管（２３）を外側管（２４）内に収納することを特徴とする方法。
【請求項３６】
前記内側管（２３）と前記外側管（２４）との間の環状空間（２６）をガス密状に密閉することを特徴とする、請求項３５記載の方法。
【請求項３７】
前記部品を半径方向に、且つ（或いは）、軸方向に互いに溶接することを特徴とする、請求項３５又は３６記載の方法。
【発明の詳細な説明】
【技術分野】
【０００１】
本発明は、請求項１の前文に記載されたネブライザ及び厚肉細管の製造方法に関する。
【背景技術】
【０００２】
国際公開第９１／１４４６８号パンフレットに原理が示され、国際公開第９７／１２６８７号パンフレット（図６ａ及び図６ｂ）に具体的な構成が示されると共に本願の添付図面の図１及び図２に示されているように、吸入器の形態をした“Respimat”という商品名で市販されているネブライザが知られている。このネブライザは、流体を送り出してこれを噴霧化するための運搬管を備えた運搬装置を有している。運搬管は、特に国際公開第９７／１２６８７号パンフレットの図３ｂに示されているような厚肉のどっしりとした細管として構成されている。したがって、運搬管は、製造するのが非常に困難であり且つ複雑である。
【０００３】
小さな内径及び薄手の壁を備えた細管は、一般的に入手できる。しかしながら、厚手の壁及び小さな製造上の公差を備えた細管は、製造するのが非常に困難であり、望ましくないほど粗い内壁を有する場合が多い。このことは、厚肉のどっしりとした細管を製造するのに必要な多くの成形ステップ（これらステップは、最後の分析の際に、内径が小さいのでコアが無い状態で実施される場合が多い）により説明できる。
【０００４】
本発明では、「細管」という用語は、特に、水力直径が１０００μｍ未満、特に好ましくは５００μｍ未満のマイクロ流路的な、好ましくは、細長い構造体に関する。内部断面は、少なくとも本質的に丸形であることが好ましいが、必ずしもそうである必要はない。同じことは、特に好ましくは管状又は円筒形の細管の外側輪郭について当てはまる。しかしながら、細管は、丸形ではない他の内部、及び（又は）、外部断面又は輪郭を有しても良い。
【０００５】
「厚肉」という用語は、本発明によれば、特に平均内径が外径の５０％未満、特に３０％未満である場合、且つ（或いは）、肉厚が０．３ｍｍ以上、好ましくは０．５ｍｍ以上の場合の細管を意味している。
【０００６】
本発明の目的は、運搬管又は細管が、製造するのが簡単且つ安価であり、厚肉構造を有し、特に、滑らかな内壁を備える一方で、高い安定性を備えた運搬管を有するネブライザ及び細管の製造方法を提供することにある。
【０００７】
【特許文献１】国際公開第９１／１４４６８号パンフレット
【特許文献２】国際公開第９７／１２６８７号パンフレット（図６ａ及び図６ｂ）
【発明の開示】
【０００８】
この目的は、請求項１記載のネブライザ又は請求項３５記載の方法により達成される。有利な別の特徴は、従属形式の請求項に記載されている。
【０００９】
本発明は、一特徴では、厚肉細管又は好ましくはこれから形成された二重壁構造のネブライザの運搬管を提供する。これにより、細管又は運搬管を甘い製造上の公差で先行技術よりも容易且つ安価に製造することができる。特に、滑らかな内面を達成することが可能である。事実、二重壁構造により、標準型の市販の薄肉細管を用いることができ、したがって、従来必要であった多くの成形ステップを無くすことができ又は減らすことができるようになる。
【００１０】
特に好ましくは、内側管は、特に運搬管又は厚肉細管を形成するよう外側管内に同心状に収納される。この場合、これら管は、特に安価に且つ高品質の状態で得ることができる薄肉細管として構成される。
【００１１】
本発明の厚肉細管は、好ましくは、本発明のネブライザの運搬管として用いられる。したがって、以下の説明は、主として、この種のネブライザで噴霧化されるべき流体用の運搬要素又は運搬管としての細管の使用に関する。しかしながら、厚肉細管は、他の目的にも利用できる。これは又、運搬管、又は、厚肉細管の製造のために開示される方法に当てはまる。
【００１２】
本発明の別の利点、特徴、性質及び観点は、特許請求の範囲の記載及び図面を参照して幾つかの好ましい実施形態についての以下の説明を読むと明らかになろう。
【発明を実施するための最良の形態】
【００１３】
図において、同一の参照符号は、同一又は類似の部品について用いられ、対応の又は同等な性質及び利点は、たとえ説明を繰り返さないでも達成される。
【００１４】
図１及び図２は、流体２、特に、効能の高い医薬配合物等を噴霧化する公知のネブライザ１を示しており、このネブライザは、非引張り操作状態（図１）及び引張り操作（始動又はプライミング）状態（図２）で概略的に示されている。ネブライザは、特に、携帯可能な吸入器として構成され、好ましくは、推進ガス無しに動作する。
【００１５】
流体２、好ましくは液体、特に医薬配合物を噴霧化する場合、ユーザ（図示せず）により吸気され又は吸入できるエーロゾルが形成される。通常、吸入は、患者の愁訴に応じて１日に少なくとも１回、特に１日に数回、好ましくは、設定された間隔で行われる。
【００１６】
公知のネブライザ１は、流体２を収容した挿入可能な、好ましくは、交換可能な容器３を有する。かくして、この容器は、噴霧化されるべき流体２のリザーバを形成している。好ましくは、容器３は、最高２００回の投与分をもたらし、即ち、最高２００回の吹き付け又は塗布を可能にするのに十分な量の流体２又は活性物質を収容している。
【００１７】
容器３は、実質的に円筒形又はカートリッジの形状をしており、ネブライザ１をいったん開けると、容器をネブライザ内に下から挿入でき、所望ならば交換することができる。この容器は、好ましくは剛性構造のものであり、流体２は、特に、容器３内の折り畳み式袋４内に保持される。
【００１８】
ネブライザ１は、流体２を特にあらかじめ設定され、任意に調節可能な投与量の状態で運搬してこれを噴霧化する運搬装置、特に圧力発生器５を更に有している。
【００１９】
ネブライザ１又は圧力発生器５は、容器３のホルダ６と、手動で操作して解除できるロック要素８を備えた関連の駆動ばね７（一部しか示さず）と、逆止弁１０を備えた運搬管９と、圧力チャンバ１１と、マウスピース１３の付近に設けられた放出ノズル１２とを有している。容器３は、ホルダ６によりネブライザ１内に固定されていて、運搬管９が、容器３内に入り込むようになっている。ホルダ６は、容器３を外して交換することができるよう構成されたものであるのが良い。
【００２０】
駆動ばね７を軸方向に引っ張ると、ホルダ６は、容器３及び運搬管９と共に図面において下方に移動し、流体２は、容器３から吸い出され、逆止弁１０を通って圧力発生器５の圧力チャンバ１１内に吸い込まれる。
【００２１】
ロック要素８の作動後における次の弛緩中、圧力チャンバ１１内の流体２は、今や閉鎖状態にある逆止弁１０を備えた運搬管９が駆動ばね７の弛緩により上方に戻され、今や加圧ラムとして働いているとき、加圧下に置かれる。この圧力により、流体２は、放出ノズル１２中に送り込まれ、次に、図１に示されているようにエーロゾル１４の状態に噴霧化される。
【００２２】
ユーザ（図示せず）は、エーロゾル１４を吸入することができ、その間、少なくとも１つの供給開口部１５を通って供給空気をマウスピース１３内に吸い込むことができる。
【００２３】
ネブライザ１は、上側ハウジング部品１６及びこの上側ハウジング部品に対して回転可能な内側部品１７を有し（図２）、内側部品は、上側部分１７ａ及び下側部分１７ｂを有し（図１）、他方、特に手動操作可能なハウジング部品１８が、好ましくは保持要素１９によってこの内側部品に解除自在に固定され、具体的には、これに装着されている。容器３を挿入すると共に、（或いは）、交換するために、ハウジング部分１８をネブライザ１から取り外すことができる。
【００２４】
ハウジング部品１８を上側ハウジング部品１６に対して回転させることができ、これに同伴して、図面では下に位置する内側部品１７の部分１７ｂが回転する。その結果、駆動ばね７は、ホルダ６に作用する歯車（図示せず）によって軸方向に引っ張られる。引張り中、容器３は、容器３が図２に示すような端位置を占めるまで軸方向下方に動かされる。この状態では、駆動ばね７は、張力下にある。引張り操作を、まず最初に実施すると、ハウジング部品１８内に設けられている軸方向に作用するばね２０が、容器のベースに当たり、穿刺要素２１により、これが、まず最初に容器３、又は、その底部のところに設けられているシールに当接すると、これを穿刺して通気が行われる。噴霧化プロセスの際、容器３を駆動ばね７によって、その元の位置に戻す一方で、運搬管９をその出口端部２２と共に圧力チャンバ１１内に動かす。かくして、容器３及び運搬要素又は運搬管９は、引張り操作中又は流体を吸い上げるため及び噴霧化プロセス中持ち上げ運動を行う。
【００２５】
次に、縮尺通りではない他の図を参照して本発明のネブライザ１及び方法の幾つかの実施形態の構成及び動作モードを説明するが、図１及び図２のネブライザ１との本質的な相違のみを強調する。かくして、図１及び図２に関する説明は、それに応じて当てはまり又は補充的に適用され、これに対し、図１及び図２のネブライザ１の特徴と以下に説明するネブライザ１の特徴の任意所望の組合せ、又は、相互の特徴の任意所望の組み合わせが可能である。
【００２６】
図３は、容器３及び第１の実施形態としての関連の本発明のネブライザ１の一部の概略断面図である。運搬管９は、内側管２３及び外側管２４を有し、これら管は、好ましくは、互いに同心状に配置されると共に、（或いは）、薄肉の特に標準型市販の毛管として形成されている。
【００２７】
かくして、運搬管９は、二重壁になっており、好ましくは、構造が多部品から成り、特に、厚肉であるが好ましくはどっしりとしてはいない細管の形態をしている。二重壁構造、特に多部品構造により、特に運搬管９を特に安価に、且つ（或いは）、高精度に、最も好ましくは、滑らかに、且つ（或いは）、丸形の内壁又は輪郭で製造することができる。
【００２８】
内側管２３は、内部に運搬チャネル４４を形成している。内側管２３と外側管２４との間の環状空間２６は、第１の実施形態では、通気チャネル２９を形成している。変形例として、環状チャンバ２６は又、好ましくは、ガス密状に密閉されても良い。
【００２９】
２本の管２３，２４は、好ましくはこれらの端部の付近の溶接により互いにしっかりと接合されている。しかしながら、２本の管２３，２４は、他の何らかの方法、例えば接着、はんだ付け、変形等により互いに接合しても良い。
【００３０】
上述したような２本の管２３，２４又はそれどころかそれ以上の数の部品から成る運搬管９の多部品設計は、必要ならば、特に上述の形式のネブライザ１又は他の或るネブライザ１では通気とは独立して採用することも可能である。特に、運搬管９の通気チャネルを省いても良く又は上述したように密封しても良い。
【００３１】
第１の実施形態では、運搬管９は、ホルダ６にしっかりと接合される。特に、運搬管９又はその外側管２４は、この目的で、波形外側輪郭等を備えた保持領域２７を備えている。運搬管９は、好ましくは、保持領域２７のところでホルダ６と射出成形される。かくして、ホルダ６は、好ましくはインターロック係合方式で保持領域４７と嵌合し又はこれに嵌着する。かくして、運搬管９は、インターロック係合方式でホルダ６内に軸方向に固定される。
【００３２】
運搬管９又は厚肉細管は、好ましくは、少なくとも実質的に滑らかな又は円筒形の外壁を有し、この外壁は、オプションとして、保持領域２７により中断されているに過ぎず、この保持領域は、特に全長に対して比較的短い。
【００３３】
第１の実施形態では、浸漬管２８は、特に運搬管９に隣接して設けられていて、好ましくは、容器３の内側のベース（底）まで延びている。図示の実施形態では、浸漬管２８は、特に保持部分２９を介して容器３のクロージャ３０に連結されており、この保持部分は、漏斗状に広がっており、したがって、運搬管９を、容器３内への挿入時又はクロージャ３０を穿孔したとき、浸漬管２８の保持部分２９に示された位置に挿入することができ、流体結合が、運搬チャネル２５と浸漬管２８との間に作られるようになっている。
【００３４】
しかしながら、浸漬管２８は、オプションに過ぎない。変形例として、これを省いても良い。この場合、運搬管９は、好ましくは、容器３の底又は流体チャンバ４の付近まで又はこの中に延びる。
【００３５】
運搬管９は、特に、ネブライザ１又は運搬装置若しくは圧力発生器５内の流体２を圧送するピストンとして用いられる。運搬管９は、比較的大きな外径を有するべきである。これとは対照的に、運搬管９の内径、即ち、内側管２３の内径、又は、このようにして構成された運搬チャネル２５の直径は、死空間を小さくするために比較的小さいことが必要である。したがって、運搬管９を特に上述した意味においてかなり厚肉であることが必要であり又は少なくとも望ましく、第１の実施形態では、これは、内側管２３を外側管２４の内部に同心状に配置することにより達成される。所望の圧送作用を達成すると共に（或いは）規定された容積を確保し又は死空間を回避するため、内側管２３と外側管２４との間の環状空間２６は、好ましくは、少なくとも送り出し側端部のところで、特に流体密状態に、最も好ましくはガス密状態に密閉される。
【００３６】
運搬管９は、好ましくは、弁、特に逆止弁１０を有し、この逆止弁は、図示の実施形態では、運搬管９の下流側端部のところ又は圧力チャンバ１１内に延びる端部のところに設けられている。
【００３７】
運搬管９又は厚肉細管は、好ましくは、少なくとも本質的に又は全体が金属、特にステンレス鋼、最も好ましくはオーステナイト系クロムニッケル鋼から成る。好ましくは、少なくとも内側管２３と外側管２４は、上述したのと同種の材料、特に金属又はステンレス鋼から成る。
【００３８】
運搬管９又は厚肉細管は、好ましくは、１から２ｍｍの外径（外側管２４の外径）及び（又は）０．１から０．６ｍｍの内径（内側管２３の内径）を有する。好ましくは、外径は、内径の少なくとも２倍又は３倍である。管２３，２４の肉厚は、好ましくは、約０．１ｍｍ以下である。
【００３９】
運搬管９又は厚肉細管は、好ましくは、少なくとも０．３ｍｍ、最も好ましくは約０．５ｍｍ以上の肉厚（外側管２３の外壁からの内側管２３の内壁の半径方向間隔）を有する。
【００４０】
本発明により提案された厚肉又は二重壁構造の運搬管９は、ピストンとしてのその使用中、好ましい大きな押し退け量を生じ、又、これとは別個に、かかる厚肉又は二重壁構造により、運搬管９の特に高い安定性が得られ、この高い安定性は、例えば、容器３等の安全且つ確実な穿刺又は他の開放形式の実現を可能にするために必要である。しかしながら、この安定性は、他の用途でも有利な場合がある。
【００４１】
ネブライザ１、又は、運搬管９、若しくは、厚肉細管、及び、運搬管９、又は、厚肉細管の好ましい製造に関する別の実施形態を、他の図を参照して以下に説明するが、第１の実施形態とは本質的に異なる点についてのみ具体的に説明する。したがって、上述の実施形態は、そのまま又は補完的に当てはまる。
【００４２】
図４は、運搬管９の第２の実施形態を断面で示している。第１の実施形態の場合と同様、運搬管９は、好ましくは、２つの部品、即ち内側管２３及び外側管２４で構成されている。好ましくは、２つの管２３，２４は、互いに溶接される。管２３，２４相互間の環状空間２６は、好ましくは、特にガス密状態に両端が密閉されている。
【００４３】
図５は、図４の拡大詳細図として、運搬管９の弁又は出口端部２２を示している。弁、特に逆止弁１０は、第１の実施形態の場合と同様、好ましくは、運搬管９に形成され又はこれによって形成され、若しくはこれに組み込まれている。第２の実施形態では、外側管２４は、第１の実施形態の場合と同様、好ましくは、特に内側管２３の端部を越えて軸方向に延びる弁領域３１を形成しており、弁１０の弁部材３２が、この弁領域内に収納されている。弁部材３２は、好ましくは、軸方向に可動である。外側管２４の好ましくは内方に圧着され若しくは別の仕方で変形された端部２２又は他の或る保持手段は、外側管２４又は弁領域３１内の弁部材３２の軸方向停止部をなし、それに応じて弁部材３２の軸方向移動性を制限している。
【００４４】
また、運搬管９は、好ましくは、弁１０、特に弁体３２の弁座３３を形成している。弁体３２は、好ましくは、弁１０を閉じたとき、即ち、噴霧化プロセスの際、弁座３３に軸方向に着座する。
【００４５】
第２の実施形態では、弁座３３は、好ましくは、外側管２４の同心領域、又は、区分、特に周方向くびれ又はビード３４により形成されている。しかしながら、他の構成上の手段も可能である。
【００４６】
内側管２３は、好ましくは、半径方向に幅が広くなった、特に、少なくとも部分的に円錐形の連結部分３５を有し、この連結部分は、この場合、内側部材２３の端部のところに形成されていて、特に、少なくとも実質的に外側管２４の内周部まで拡張している。２本の管２３，２４は、連結部分３５により、特に、溶接、接着等で互いに接合されている。例えば、実質的に半径方向への外側管２４の外壁を介する溶接を実施することが可能である。
【００４７】
かくして、内側管２３は、少なくとも実質的に、弁座３３まで、又は、好ましくは、半径方向くびれ、又は、ビード３４まで延び、かくして、流体２が運搬管９又は運搬チャネル２５内で流れることができる容積部が最小限に抑えられている。
【００４８】
図６は、図４の詳細拡大図であり、運搬管９の他端部を示している。この場合も又、内側管２３は、好ましくは、連結部分３５を介して外側管２４に連結されており、この連結部分は、特に半径方向に広がっている。図示の実施形態では、内側管２３、又は、その連結部分３５は、好ましくは、外側管２４の軸方向端と面一をなして終端し、特に、この領域で外側管２４に軸方向に溶接されている。
【００４９】
第２の実施形態では、内側管２３は、好ましくは、特に溶接により外側管２４に、その２つの端部のところで取り付けられている。しかしながら、内側管２３は、外側管２４にその２つの端部相互間に設けられたスペーサ又は他の手段により半径方向に連結されても良く、或いは、少なくとも半径方向に保持され、又は、案内されるのが良い。
【００５０】
第２の実施形態では、環状空間２６（内側管２３と外側管２４との間の軸方向隙間）は、好ましくは、特に流体密且つガス密状態に気密封止される。
【００５１】
第２の実施形態では、環状空間２６は、好ましくは、中空構造のものであり、即ち、これは媒体で満たされていない。しかしながら、これは、理論的には可能である。例えば、隙間２６は、接着剤、断熱材料又は他の何らかの適当な材料で少なくとも部分的に満たされても良い。
【００５２】
第２の実施形態では、運搬管９又は外側管２４は、好ましくは、その全長にわたり少なくとも実質的に一定のままである外径を有する。また、必要ならば、弁領域１０の外径を減少させても良い。保持領域２７は、以下に説明するように上述の外径に対して半径方向に突き出るのが良いが、このようにするかどうかは任意である。
【００５３】
図７は、図４の拡大詳細図であり、運搬管９の保持領域２７を示している。保持領域２７は、第２の実施形態では、具体的にはフランジ上圧着縁部の形態の外側半径方向突出部３６により形成されている。突出部３６又は圧着縁部は、運搬管９又は外側管２４の外周部に対して半径方向外方に突き出ている。保持領域２７は、好ましくは、軸方向のインターロック係合関係（図３参照）により運搬管９をホルダ６内に固定するのに役立つ。
【００５４】
図８は、運搬管９の第３の実施形態を断面で示している。第４の実施形態は、第２の実施形態に非常に似ており、したがって、大きな差のみを以下に説明する。
【００５５】
運搬管９は、好ましくは、この場合も又、２つの部品でのみ、即ち、内側管２３と外側管２４で構成されている。
【００５６】
図９は、図８の拡大詳細図であり、運搬管９の流入側端部を示している。内側管２３は、好ましくは、その連結部分３５が外側管２４の端に対して引っ込んで位置している。これにより、運搬管９の長さの公差への準拠が容易である。
【００５７】
図１０は、図８の拡大詳細図であり、運搬管９の弁側端部２２（末端圧着が行われておらず、弁部材３２が設けられていない）を示している。弁座３３は、この場合、この端部のところの内側管２３の軸方向に拡張した連結部分３５により形成されている。したがって、この実施形態では、外側管２４は、好ましくは、この領域にはくびれ又はビード３４を備えていない。
【００５８】
図１１は、図８の拡大詳細図であり、運搬管９の保持領域２７を示している。突出部に代えて、この第４の実施形態では、保持領域２７は、好ましくは、半径方向凹み又は凹部３７、特に環状溝、段部、ビード等を有し、これらのうちの幾つかは、前後に設けられており、特に、波形外側輪郭が、保持領域２７により形成されるのが良い。
【００５９】
特に好ましい特徴によれば、外側管２４は、保持領域２７のところが、軸方向内方に変形されていて、これが内側管２３に当たるようになっている。必要ならば、外側管２４は、この接触領域において、例えば溶接又は接着により内側管２３に固定的に連結されても良い。これは、運搬管９の全体的な安定性に寄与する場合がある。
【００６０】
しかしながら、半径方向間隔を保持領域２７のところで外側管２４と内側管２３との間に維持することも可能である。
【００６１】
図１２は、断面で示された運搬管９の第４の実施形態を示している。第４の実施形態は、第２の実施形態及び第３の実施形態に非常に似ている。特に、第４の実施形態の運搬管９は、この場合も又、２つの部品のみ、好ましくは内側管２３と外側管２４で構成されている。
【００６２】
図１３は、図１２の拡大詳細図であり、運搬管９の流入側端部を示している。第４の実施形態の内側管２３又はその連結部分３５は、円筒形部分３８を有し、この円筒形部分は、連結部分３５の円錐形又は半径方向拡張部分に隣接して位置し、外側管２４の内径に少なくとも実質的に一致した外径を有している。内側管２３は、好ましくは、円筒形部分３８を介して例えば溶接、接着等により流体密、より好ましくはガス密状態で外側管２３に連結されている。
【００６３】
円筒形部分３８又は内側管２３も又、好ましくは、第４の実施形態においても外側管２４の関連の端部に対して内方に引っ込められ又は後退して位置している。
【００６４】
図１４は、図１２の拡大詳細図であり、運搬管９の流出側又はバルブ側端部２２（終端部の圧着を施されておらず、弁部材３２が設けられていない）を示している。第４の実施形態では、内側管２３は、好ましくは、弁１０の弁領域３１を形成している。特に、好ましくは少なくとも実質的に中空の円筒形弁領域３１が、弁座３３を形成している内側管２３の円錐形連結部分３５のすぐ隣りに位置している。
【００６５】
好ましくは、弁領域又は受け入れ領域３１は、外側管２４の外径に一致した外径を有している。この場合、外側管２４は、好ましくは、図１４に示すように、内側管２３の連結部分３５のところで終端しており、運搬管９の弁側端部までは延びていない。必要ならば、外側管２４は、これを例えば溶接により内側管２３に連結するのが容易であるようにその端部領域のところが円錐形にテーパしていても良い。
【００６６】
図１５は、運搬管９の第５の実施形態を断面で示している。第５の実施形態は、実質的に第４の実施形態に相当している。唯一の差は、内側管２３が、流入側端部のところで、好ましくは、図１９に指示されているように別個のスペーサ要素３９を介して外側管２４に連結されていることであり、図１９は、図１８の拡大詳細図である。スペーサ要素３９は、好ましくは、構造が少なくとも実質的に中空の円筒形又はスリーブ状若しくは環状であり、環状空間２６を軸方向に又はその端フェースのところで密閉している。特に、流入側端部のところの内側管２３の半径方向に広がった連結部分３５を省いても良い。２本の管２３，２４は、好ましくは、スペーサ要素３９と共に、端部平面又は軸方向平面で終端しており、好ましくは、スペーサ要素に軸方向に溶接されている。しかしながら、スペーサ要素３９は又、圧入又は圧着され、或いは接着又は他の何らかの方法で取り付けられても良い。
【００６７】
スペーサ要素３９は、好ましくは、外側管２４の内径と内側管２３の外径との差の少なくとも実質的に５０％の肉厚を有する。スペーサ要素３９は、特に滑り嵌め又は圧力嵌め関係をなして設けられる。
【００６８】
スペーサ要素３９は、好ましくは、運搬管９の全長の２０％未満であり、特に好ましくは１０％未満の長さを有する。変形例として、スペーサ要素３９は、特に運搬管９の耐キンク性を向上させるよう実質的にこれよりも長い長さにわたって延びても良い。例えば、スペーサ要素３９は、それどころか、保持領域２８又は凹み又はビード３４まで延びても良い。
【００６９】
第５の実施形態では、運搬管９は、２つの部品では構成されておらず、好ましくは、３つの部品で構成されている。部品の数が多くなるにもかかわらず、個々の部品を非常に簡単且つ安価に、しかも高精度で製造できるので製造はより簡単である。
【００７０】
図１７は、運搬管９の第６の実施形態を断面で示している。第７の実施形態は、第５の実施形態に非常に似ている。しかしながら、２つの部品では、運搬管９は、この場合、３つの部品で構成されている。保持領域２７は、この場合、好ましくは包囲環状溝又は窪みの形態をしている。
【００７１】
図１８は、図１７の拡大詳細図であり、運搬管９の弁側端部２２を示している。運搬管９は、第６の実施形態では、好ましくは、弁部材又は連結部材４０を有し、この弁部材は、内側管２３及び外側管２４とは別個に作られ、弁１０の受け入れ領域３１を形成すると共に（或いは）２本の管２３，２４を互いに連結している。
【００７２】
弁部材又は連結部材４０は、特に、受け入れ領域３１に隣接して位置する好ましくは円錐形の連結部分３５を有し、この連結部分は、２本の管２３，２４を互いに連結すると共に（或いは）この場合も又、弁座３３を形成している。
【００７３】
外側管２４及び弁部材又は連結部材４０の受け入れ領域３１は、好ましくは、第３の実施形態及び第４の実施形態の場合と少なくとも実質的に同一の外径を有する。外側管２４は、好ましくは、図２１に示すように弁部材又は連結部材４０の連結部分３５のところで終端しており、ここで、外側管２４は、特に溶接により連結部材２７にしっかりと接合されている。必要ならば、外側管２４の端部品を円錐形にテーパさせても良い。
【００７４】
これに対応して直径が減少した状態で、好ましくは、少なくとも実質的に中空の円筒形又はスリーブ状連結領域４１が、連結部分３５に隣接して位置し、この連結領域は、内側管２３に嵌められ又は装着され、若しくは、嵌着されており、特に溶接により、これに取り付けられている。
【００７５】
特に、弁部材又は連結部材４０は、比較的製造が容易な深絞り成形部品として構成されている。
【００７６】
図１９は、運搬管９の第７の特に好ましい実施形態を断面で示している。運搬管９は、この場合、好ましくは、少なくとも４つの部品、即ち、内側管２３、外側管２４、スペーサ要素３９及び弁部材又は連結部材４０で構成されている。
【００７７】
２本の管２３，２４は、流入側端部のところで、好ましくは、特に第６の実施形態の場合と同様、スペーサ要素３９により互いに連結されている。
【００７８】
２本の管２３，２４は、出口側又は弁側端部２２のところで、好ましくは第７の実施形態の場合と同様、弁部材又は連結部材４０により互いに接合されている。
【００７９】
多数の部品、即ち、少なくとも４つのコンポーネントにもかかわず、第７の実施形態は、特に甘い製造公差で、しかも必要ならば非常に滑らかで且つ一様な内壁を備えた状態で製造するのが比較的簡単且つ安価である。
【００８０】
当初、弁部材又は連結部材４０と内側管２３を特に溶接により互いに接合する。溶接を連結領域４１において外部から半径方向に実施することが特に好ましい。このようにすると、最初の組立体が形成される。
【００８１】
加うるに、外側管２４とスペーサ要素３９を特に溶接により互いに接合して第２の組立体を形成する。溶接は、好ましくは、端フェースのところ又は入口端部のところで実施される。
【００８２】
次に、２つの組立体を組み合わせ、互いにしっかりと接合する。特に、外側管２４を弁部材又は連結部材４０に溶接する。これは、本質的には半径方向に行われるのが良い。さらに、スペーサ要素３９を内側管２３に固定的に連結し、特にこれに軸方向に溶接する。
【００８３】
運搬管９が図示の実施形態の場合のようにオプションとしての弁１０を備える場合、弁部材３２（図示せず）を弁領域１０に導入し、好ましくは、運搬管９又は弁部材又は連結部材４０の端部２２の最終的な変形により固定し、特に内方に圧着して弁部材３２のための軸方向当接部を形成する。
【００８４】
完成状態の運搬管９では、環状空間２６は、好ましくは、排気されると共に、（或いは）、ガス密状態に密閉される。必要ならば、環状空間２６を充填材料、プラスチック等（図示せず）で満たしても良い。
【００８５】
弁部材又は連結部材４０若しくは連結部分３５は、好ましくは、運搬管９の全長の２０％未満、特に１０％未満の長さを有する。これにより、製造が容易になる。運搬管９又は外側管２４の長さは、好ましくは、少なくとも５０ｍｍであり又は内径の少なくとも５０倍である。
【００８６】
特に３つ以上の部品、好ましくは３つ又は４つの部品から成る運搬管９の好ましい多部品構造は、必要ならば、運搬管９の好ましい二重壁構造とは独立して具体化できる。弁１０は、最も好ましくは、弁部材又は連結部材４０により形成され、この弁部材又は連結部材は、別々に製造されるが、依然として運搬管９に固定的に連結され、特に、弁１０の弁部材３２のための受け入れ又は弁領域３１を形成する。
【００８７】
一般に、容器３は、好ましくは本発明のネブライザ１内に挿入でき、即ち、ネブライザ１内に組み込むことができるということが指摘されるべきである。その結果、容器３は、好ましくは、別個の部品である。しかしながら、容器３又は流体チャンバ４は、理論的には、直接ネブライザ１により形成されても良く又はネブライザの一部であっても良く、或いは、ネブライザ１内に違ったやり方で組み込まれ又は取り付けられても良い。
【００８８】
上述したように、説明した実施形態の個々の特徴、観点及び（又は）原理は、恣意的に互いに組み合わせ可能であり、又、特に図１及び図２の公知のネブライザと組み合わせ可能である。なお、かかる特徴等は、これに類似した又は他のネブライザにも利用できる。
【００８９】
自立型機器等とは異なり、本発明のネブライザ１は、好ましくは、携帯可能であるように設計されており、特に、携帯型手動操作式器具である。
【００９０】
しかしながら、本発明の解決策は、本明細書において具体的に説明したネブライザ１だけではなく、他のネブライザ又は吸入器、例えば粉末吸入器又はいわゆる計量型吸入器にも利用できる。
【００９１】
特に好ましくは、ネブライザ１は、特に医療用エーロゾル治療のための吸入器として設計されている。しかしながら、変形例として、ネブライザ１は、他の目的のため、好ましくは、化粧液の噴霧化のために設計されていても良く、特に、香水噴霧器として設計されていても良い。したがって、容器３は、例えば、医薬調合物又は化粧液、例えば香水等を収容する。さらに、本発明の細管は又、好ましくは医療用流体２の任意の周囲の小出し装置に利用できる。かくして、「ネブライザ」という用語は、好ましくはかかる広い意味に理解されるべきである。
【００９２】
好ましくは、流体２は、上述したように液体であり、特に、水性又はエタノール医薬調合物である。しかしながら、これは、別の医薬調合物、懸濁液等又は粒子若しくは粉末であっても良い。
【００９３】
好ましくは医用流体２の好ましい成分、及び（又は）、調合物は、以下に一覧表示されている。上述したように、これらは、水性又は非水性溶液、混合物、エタノールを含み又は溶剤を含んでいない調合物等であるのが良い。流体２は、特に以下のものを含有することが好ましい。
【００９４】
医薬活性物質、物質調合物又は物質混合物として、全ての吸入可能な化合物、例えば欧州特許第１，００３，４７８号明細書に開示されている吸入可能な巨大分子が用いられる。好ましくは、呼吸合併症を治療し、吸入により投与される物質、物質調合物又は物質混合物が用いられる。
【００９５】
本発明の関連において特に好ましい医薬配合物は、抗コリン作動薬、ベータミメティック（betamimetic(s)）、ステロイド、ホスホジエストラーゼ（ＰＤＥ）ＩＶ阻害薬、ＬＴＤ４拮抗薬及びＥＧＦＲキナーゼ阻害薬、抗アレルギー薬、バッカクアルカロイドの誘導体、トリプタン、ＣＧＲＰ拮抗薬、ホスホジエステラーゼＶ阻害薬及びかかる活性物質の組み合わせ、例えばベータミメティック＋抗コリン作動薬、又は、ベータミメティック＋抗アレルギー薬の中から選択されたものである。組み合わせの場合、好ましくは、活性物質のうちの少なくとも１種類は、化学的に結合された水を含む。好ましくは、抗アレルギー薬含有活性物質が、モノ調製剤、又は、組合せ調製剤の形態で用いられる。
【００９６】
以下は、活性成分又はその塩の例として具体的に記載されている。
【００９７】
使用可能な抗コリン作動薬は、好ましくは、チオトロピウムブロミド、オキシトロピウムブロミド、フルトロピウムブロミド、イプラトロピウムブロミド、グリコピロニウム塩、トロスピウムクロリド、トルテロジン、トロペノル２，２−ジフェニルプロピオネートメトブロミド、スコピン２，２−ジフェニルプロピオネートメトブロミドスコピン２−フルオロ−２，２−ジフェニラセテートメトブロミド、トロペノトル２−フルオロ−２，２−ジフェニルアセテートメトブロミド、トロペノル  ３，３′，４，４′−テトラフルオロベンジレートメトブロミド、スコピン３，３′，４，４′−テトラフルオロベンジレートメトブロミド、トロペノル４，４′−ジフルオロベンジレートメトブロミド、スコピン４，４′−ジフルオロベンジレートメトブロミド、トロペノル３，３′−ジフルオロベンジレートメトブロミド、スコピン３，３′−ジフルオロベンジレートメトブロミド、トロペノル９−ヒドロキシ−フルオレン−９−カルボキシレートメトブロミド、トロペノル９−フルオロ−フルオレン−９−カルボキシレートメトブロミド、スコピン９−ヒドロキシ−フルオレン−９−カルボキシレートメトブロミド、スコピン９−フルオロ−フルオレン−９−カルボキシレートメトブロミド、トロペノル９−メチル−フルオレン−９−カルボキシレートメトブロミド、スコピン９−メチル−フルオレン−９−カルボキシレートメトブロミド、シクロプロピルトロピンベンジレートメトブロミド、シクロプロピルトロピン２，２−ジフェニルプロピオネートメトブロミド、シクロプロピルトロピン９−ヒドロキシ−シアンテーネ−９−カルボキシレートメトブロミド、シクロプロピルトロピン９−メチル−フルオレン−９−カルボキシレートメトブロミド、シクロプロピルトロピン９−メチル−キサンテン−９−カルボキシレートメトブロミド、シクロプロピルトロピン９−ヒドロキシ−フルオレン−９−カルボキシレートメトブロミド、シクロプロピルトロピンメチル４，４′−ジフルオロベンジレートメトブロミド、トロペノル９−ヒドロキシ−キサンテン−９−カルボキシレートメトブロミド、スコピン９−ヒドロキシ−キサンテン−９−カルボキシレートメトブロミド、トロペノル９−メチル−キサンテン−９−カルボキシレートメトブロミド、スコピン９−メチル−キサンテン−９−カルボキシレートメトブロミド、トロペノル９−エチル−キサンテン−９−カルボキシレートメトブロミド、トロペノル９−ジフルオロメチル−キサンテン−９−カルボキシレートメトロブロミド、及び、スコピン９−ヒドロキシメチル−キサンテン−９−カルボキシレートメトブロミド、並びに、オプションとして、これらのラセミ化合物、エナンジアステレオマー、又は、ジアステレオマーの形態、及び、オプションとして、これらの溶媒化合物、及び（又は）、水和物の形態の中から選択される。
【００９８】
使用可能なベータミメティックは、好ましくは、アルブテロール、バンブテロール、ビトルテロール、ブロクサテロール、カルブテロール、クレンブテロール、フェノテロール、ホルモテロール、ヘキソプレナリン、イブテロール、インダカテロール、イソエタリン、イソプレナリン、レボサルブタモル、マブテロール、メルアドリン、メタプロテレノール、オルチプレナリン、ピルブテロール、プロカテロール、レプロテロール、リミテロール、リトドリン、サルメテロール、サルメファモル、ソテレノート、スルホンテロール、チアラミド、テルブタリン、トルブテロール、ＣＨＦ−１０３５、ＨＯＫＵ−８１、ＫＵＬ−１２４８、３−（４−｛６−［２−ヒドロキシ−２−（４−ヒドロキシ−３−ヒドロキシメチル−ペニル）−エチラミノ］−ヘキシロキシ｝−ブチル）−ベンゾルスルホナミド、５−［２−（５，６−ジエチル−インダン−２−イラミノ）−１−ヒドロキシ−エチル］−８−ヒドロキシ−１Ｈ−キノリン−２−オン、４−ヒドロキシ−７−［２−｛［２−｛［３−（２−フェニレトキシ）プロピル］スルホニル｝エチル］−アミノ｝エチル］−２（３Ｈ）−ベンゾチアゾロン、１−（２−フルオロ−４−ヒドロキシフェニル）−２−［４−（１−ベンジミダゾリル）２−メチル−２−ブチラミノ］エタノール、１−［３−（４−メトキシベンジル−アミノ）−４−ヒドロキシフェニル］−２−［４−（１−ベンジミダゾリル）−２−メチル−２−ブチラミノ］エタノール、１−［２Ｈ−５−ヒドロキシ−３−オキソ−４Ｈ−１，４−ベンゾキサジン−８−イル］−２−［３−（４−Ｎ，Ｎ−ジメチラミノフェニル）−２−メチル−２−プロピラミノ］エタノール、１−［２Ｈ−５−ヒドロキシ−３−オキソ−４Ｈ−１．４−ベンゾキサジン−８−イル］−２−［３−（４−メトキシフェニル）−２−メチル−２−プロピラミノ］エタノール、１−［２Ｈ−５−ヒドロキシ−３−オキソ−４Ｈ−１．４−ベンゾキサジン−８−イル］−２−［３−（４−ｎ−ブチロキシフェニル）−２−メチル−２−プロピラミノ］エタノール、１−［２Ｈ−５−ヒドロキシ−３−オキソ−４Ｈ−１．４−ベンゾキサジン８−イル］−２−｛４−［３−（４−メトキシフェニル）−１．２．４−トリアゾル−３−イル］−２−メチル−２−ブチラミノ｝エタノール、５−ヒドロキシ−８−（１−ヒドロキシ−２−イソプロピラミノブチル）−２Ｈ−１．４−ベンゾキサジン−３−（４Ｈ）−オン、１−（４−アミノ−３−クロロ−５−トリフルオルメチルフェニル）−２−ター−ブチラミノ）エタノール及び１−（４−エトキシカルボニル−アミノ−３−シアノ−５−フルオロフェニル）−２−（ター−ブチラミノ）エタノール、並びに、オプションとして、これらのラセミ化合物、エナンジアステレオマー、又は、ジアステレオマーの形態、及び、オプションとして、これらの薬理学的に容認できる酸添加塩、溶媒化合物、及び（又は）、水和物の形態の中から選択される。
【００９９】
使用可能なステロイドは、好ましくは、プレドニソロン、プレドニソン、ブチキソコルトプロピオネート、ＲＰＲ−１０６５４１、フルニソリド、ベンクロメタソン、トリアンシノロン、ブデソニド、フルチカソン、モメタソン、シクレソニド、ロフレポニド、ＳＴ−１２６、デキサメタソン、（Ｓ）−フルオロメチル  ６α，９α−ジフルオロ−１７α−［（２−フラニルカルボニル）オキシ］−１１β−ヒドロキシ−１６α−メチル−３−オキソ−アンドロスタ−１，４−ジエン−１７β−カルボチオネート、（Ｓ）−（２−オキソ−テトラヒドロ−フラン−３Ｓ−イル）  ６α，９α−ジフルオロ−１１β−ヒドロキシ−１６α−メチル−３−オキソ−１７α−プロピオニオキシ−アンドロスタ−１，４−ジエン−１７β−カルボチオネート及びエチプレドノール−ジクロロアセテート（ＢＮＰ−１６６）、並びに、オプションとして、これらのラセミ化合物、エナンジアステレオマー、又は、ジアステレオマーの形態、及び、オプションとしてこれらの塩、かかる塩の誘導体、溶媒化合物、及び（又は）、水和物の形態の中から選択される。
【０１００】
使用可能なホスホジエストラーゼ（ＰＤＥ）ＩＶ阻害薬は、好ましくは、エンプロフィリン、テオフィルリン、ロフルミラスト、アリフロ（チロミラスト）、ＣＰ−３２５，３６６、ＢＹ３４３、Ｄ−４３９６（Ｓｃｈ−３５１５９１）、ＡＷＤ−１２−２８１（ＧＷ−８４２４７０）、Ｎ−（３，５−ジクロロ−１−オキソ−ピリジン−４−イル）−４−ジフルオロメトキシ−３−シクロプロピルメトキシベンザミド、ＮＣＳ−６１３、プマフェンチン、（−）ｐ−［（４ａＲ*，１０ｂＳ*］）−９−エトキシ−１，２，３，４，４ａ，１０ｂ−ヘキサヒドロ−８−メトキシ−２−メチルベンゾ［ｓ］［１，６］ナフチリジン−６−イル］−Ｎ，Ｎ−ジイソプロピルベンザミド、（Ｒ）−（＋）−１−１（４−ブロモベンジル）−４−［３−シクロペンチロキシ］−４−メトキシフェニル］−２−ピルロリドン、３−（シクロペンチロキシ−４−メトキシフェニル）−１−（４−Ｎ′−［Ｎ−２−シアノ−Ｓ−メチル−イソチオウレイド］ベンジル）−２−ピルロリドン、シス［４−シアノ−４−（３−シクロペンチロキシ−４−メトキシフェニル）シクロヘキサン−カルボン酸］、２−カルボメトキシ−４−シアノ−４−（３−シクロプロピルメトキシ−４−ジフルオロメトキシフェニル）シクロヘキサン−１−オン、シス［４−シアノ−４−（３−シクロプロピル−メトキシ−４−ジフルオロメトキシフェニル）シクロヘキサン−１−オル］、（Ｒ）−（＋）−エチル［４−（３−シクロペンチロキシ−４−メトキシフェニル）ピルロリジン−２−イリドン］アセテート、（Ｓ）−（−）−エチル［４−（３−シクロペンチロキシ］−４−メトキシフェニル）ピルロリジン−２−イリドン］アセテート、ＣＤＰ８４０、ベイ−１９８００４、Ｄ−４４１８、ＰＤ−１６８７８７、Ｔ−４４０、Ｔ２５８５、アロフィルリン、アチゾラン、Ｖ−１１２９４Ａ、Ｃ１−１０１８、ＣＤＣ−８０１、ＣＤＣ−３０５２、Ｄ−２２８８８、ＹＭ−５８９９７、Ｚ−１５３７０、９−シクロペンチル−５，６−ジヒドロ−７−エチル−３（２−チエニル）−９Ｈ−ピラゾロ［３，４−ｃ］−１，２，４−トリアゾロ［４，３−ａ］ピリジン及び９−シクロペンチル−５，６−ジヒドロ−７−エチル−３−（ター−ブチル）−９Ｈ−ピラゾロ［３，４−ｃ］−１，２，４−トリアゾロ［４，３−ａ］ピリジン、並びに、オプションとして、これらのラセミ化合物、エナンジアステレオマー、又は、ジアステレオマーの形態、及び、オプションとして、これらの薬理学的に容認できる酸添加塩、溶媒化合物、及び（又は）、水和物の形態の中から選択される。
【０１０１】
使用可能なＬＴＤ４拮抗薬は、好ましくは、モンテルカスト、１−（（（Ｒ）−（３−（２−（６，７−ジフルオロ−２−キノリニル）エテニル）フェニル）−３−（２−（２−ヒドロキシ−２−プロピル）フェニル）チオ）メチルシクロプロパン−酢酸、１（（（１（Ｒ）−３（３−（２−（２，３−ジクロロチエノ［３，２−ｂ］ピリジン−５−イル）−（Ｅ）エテニル）フェニル）−３−（２−（１−ヒドロキシ−１−メチレチル）フェニル）プロピル）チオ）メチル）シクロプロパン−酢酸、プランルカスト、ザフィルルカスト、［２−［［２−（４−ター−ブチル−２−チアゾリル）−５−ベンゾフラニル］オキシメチル］フェニル］酢酸、ＭＣＣ−８４７（ＺＤ−３５２３）、ＭＮ−００１、ＭＥＮ−９０５０７（ＬＭ−１５０７）、ＶＵＦ−５０７８、ＶＵＦ−Ｋ−８７０７及びＬ−７３３３２１、並びに、オプションとして、これらのラセミ化合物、エナンジアステレオマー、又は、ジアステレオマーの形態、及び、オプションとして、これらの薬理学的に容認できる酸添加塩、溶媒化合物、及び（又は）、水和物の形態の中から選択される。
【０１０２】
使用可能なＥＧＦＲキナーゼ阻害薬は、好ましくは、セツキマブ（cetuximab ）、トラスツズマブ（trastuzumab ）、ＡＢＸ−ＥＧＦ、マブ（Mab ）ＩＣＲ−６２、４−［（３−クロロ−４−フルオロフェニル）アミノ］−６−｛［４−（モルフォニン−４−イル）−１−オキソ−２−ブテン−１−イル］アミノ｝−７−シクロプロピルメトキシ−キナゾリン、４−［（Ｒ）−（１−フェニル−エチル）アミノ］−６−｛［４−（モルフォリン−４−イル）−１−オキソ−２−ブテン−１−イル］アミノ｝−７−シクロペンチロキシ−キナゾリン、４−［（３−クロロ−４−フルオロ−フェニル）アミノ］−６−｛［４−（（Ｒ）−６−メチル−２−オキソ−モルフォリン−４−イル）−１−オキソ−２−ブテン−１−イル］アミノ｝−７−［（Ｓ）−（テトラヒドロフラン−３−イル）オキシ］−キナゾリン、４−［（３−クロロ−４−フルオロ−フェニル）アミノ］−６−［２−（（Ｓ）−６−メチル−２−メチル−２−モルフォリン−４−イル）−エトキシ］−７−メトキシ−キナゾリン、４−［（３−クロロ−４−フルオロフェニル）アミノ］−６−（｛４−［Ｎ−（２−メトキシ−エチル）−Ｎ−メチル−アミノ］−１−オキソ−２−ブテン−１−イル｝アミノ）−７−シクロプロピルメトキシ−キナゾリン、４−［（Ｒ）−（１−フェニル−エチル）アミノ］−６−（｛４−［Ｎ−（テトラヒドロピラン−４−イル）−Ｎ−メチル−アミノ］−１−オキソ−２−ブテン−１−イル｝アミノ）−７−シクロプロピルメトキシ−キナゾリン、４−［（３−クロロ−４−フルオロフェニル）アミノ］−６−（｛４−［Ｎ−（２−メトキシ−エチル）−Ｎ−メチル−アミノ］−１−オキソ−２−ブテン−１−イル｝アミノ）−７−シクロペンチロキシ−キナゾリン、４−［（３−クロロ−４−フルオロフェニル）アミノ］−６−｛［４−（Ｎ，Ｎ−ジメチルアミノ）−１−オキソ−２−ブテン−１−イル］アミノ｝−７−［（Ｒ）−（テトラヒドロフラン−２−イル）メトキシ］−キナゾリン、４−［（３−エチニル−フェニル）アミノ］−６，７−ビス−（２−メトキシ−エトキシ）−キナゾリン、４−［（Ｒ）−（１−フェニル−エチル）アミノ］−６−（４−ヒドロキシ−フェニル）−７Ｈ−ピルロロ［２，３−ｄ］ピリミジン、３−シアノ−４−［（３−クロロ−４−フルオロフェニル）アミノ］−６−｛［４−（Ｎ，Ｎ−ジメチルアミノ）−１−オキソ−２−ブテン−１−イル］アミノ｝−７−エトキシ−キノリン、４−［（Ｒ）−（１−フェニル−エチル）アミノ］−６−｛［４−（（Ｒ）−６−メチル−２−オキソ−モルフォリン−４−イル）−１−オキソ−２−ブテン−１−イル］アミノ｝−７−メトキシ−キナゾリン、４−［（３−クロロ−４−フルオロフェニル）アミノ］−６−｛［４−（モルフォリン−４−イル）−１−オキソ−２−ブテン−１−イル］アミノ｝−７−［（テトラヒドロフラン−２−イル）メトキシ］−キナゾリン、４−［（３−エチニル−フェニル）アミノ］−６−｛［４−（５，５−ジメチル−２−オキソ−モルフォリン−４−イル）−１−オキソ−２−ブテン−１−イル］アミノ｝−キナゾリン、４−［（３−クロロ−４−フルオロ−フェニル）アミノ］−６−｛２−［４−（２−オキソ−���ルフォリン−４−イル）−ピペリジン−１−イル］−エトキシ｝−７−メトキシ−キナゾリン、４−［（３−クロロ−４−フルオロ−フェニル）アミノ］−６−（トランス−４−アミノ−シクロヘキサン−１−イロキシ）−７−メトキシ−キナゾリン、４−［（３−クロロ−４−フルオロ−フェニル）アミノ］−６−（トランス−４−メタネスルフォニラミノ−シクロヘキサン−１−イロキシ）−７−メトキシ−キナゾリン、４−［（３−クロロ−４−フルオロ−フェニル）アミノ］−６−（テトラヒドロピラン−３−イロキシ］−７−メトキシ−キナゾリン、４−［（３−クロロ−４−フルオロ−フェニル）アミノ］−６−｛１−［（モルフォリン−４−イル）カルボニル］−ピペリジン−４−イロキシ｝−７−メトキシ−キナゾリン、４−［（３−クロロ−４−フルオロ−フェニル）アミノ］−６−（ピペリジン−３−イロキシ）−７−メトキシ−キナゾリン、４−［（３−クロロ−４−フルオロ−フェニル）アミノ］−６−［１−（２−アセチラミノ−エチル）−ピペリジン−４−イロキシ］−７−メトキシ−キナゾリン、４−［（３−クロロ−４−フルオロ−フェニル）アミノ］−６−（テトラヒドロピラン−４−イロキシ）−７−エトキシ−キナゾリン、４−［（３−クロロ−４−フルオロ−フェニル）アミノ］−６−｛トランス−４−［（モルフォリン−４−イル）カルボニラミノ］−シクロヘキサン−１−イロキシ｝−７−メトキシ−キナゾリン、４−［（３−クロロ−４−フルオロ−フェニル）アミノ］−６−｛１−［（ピペリジン−１−イル）カルボニル］−ピペリジン−４−イロキシ｝−７−メトキシ−キナゾリン、４−［（３−クロロ−４−フルオロ−フェニル）アミノ］−６−（シス−４−｛Ｎ−［（モルフォリン−４−イル）カルボニル］−Ｎ−メチル−アミノ｝−シクロヘキサン−１−イロキシ）−７−メトキシ−キナゾリン、４−［（３−クロロ−４−フルオロ−フェニル）アミノ］−６−（トランス−４−エタンスルホニラミノ−シクロヘキサン−１−イロキシ）−７−メトキシ−キナゾリン、４−［（３−クロロ−４−フルオロ−フェニル）アミノ］−６−（１−メタネスルフォニル−ピペリジン−４−イロキシ）−７−（２−メトキシ−エトキシ）−キナゾリン、４−［（３−クロロ−４−フルオロ−フェニル）アミノ］−６−｛１−（２−メトキシ−アセチル）−ピペリジン−４−イロキシ］−７−（２−メトキシ−エトキシ）−キナゾリン、４−［（３−エチニル−フェニル）アミノ］−６−（テトラヒドロピラン−４−イロキシ］−７−メトキシ−キナゾリン、４−［（３−クロロ−４−フルオロ−フェニル）アミノ］−６−（シス−４−｛Ｎ−［（ピペリジン−１−イル）カルボニル］−Ｎ−メチル−アミノ｝−シクロヘキサン−１−イロキシ）−７−メトキシ−キナゾリン、４−［（３−クロロ−４−フルオロ−フェニル）アミノ］−６−｛シス−４−［（モルフォリン−４−イル）カルボニラミノ］−シクロヘキサン−１−イロキシ｝−７−メトキシ−キナゾリン、４−［（３−クロロ−４−フルオロ−フェニル）アミノ］−６−｛１−［２−（２−オキソピルロリジン−１−イル）エチル］−ピペリジン−４−イロキシ｝−７−メトキシ−キナゾリン、４−［（３−エチニル−���ェニル）アミノ］−６−（１−アセチル−ピペリジン−４−イロキシ）−７−メトキシ−キナゾリン、４−［（３−エチニル−フェニル）アミノ］−６−（１−メチル−ピペリジン−４−イロキシ）−７−メトキシ−キナゾリン、４−［（３−エチニル−フェニル）アミノ］−６−（１−メタネスルフォニル−ピペリジン−４−イロキシ）−７−メトキシ−キナゾリン、４−［（３−クロロ−４−フルオロ−フェニル）アミノ］−６−（１−メチル−ピペリジン−４−イロキシ）−７（２−メトキシ−エトキシ）−キナゾリン、４−［（３−エチニル−フェニル）アミノ］−６−｛１−［（モルフォリン−４−イル）カルボニル］−ピペリジン−４−イロキシ｝−７−メトキシ−キナゾリン、４−［（３−クロロ−４−フルオロ−フェニル）−アミノ］−６−｛１−［Ｎ−メチル−Ｎ−２−メトキシエチル−アミノ］カルボニル］−ピペリジン−４−イロキシ｝−７−メトキシ−キナゾリン、４−［（３−クロロ−４−フルオロ−フェニル）アミノ］−６−（１−エチル−ピペリジン−４−イロキシ）−７−メトキシ−キナゾリン、４−［（３−クロロ−４−フルオロ−フェニル）アミノ］−６−［シス−４−（Ｎ−メタネスルフォニル−Ｎ−メチル−アミノ）−シクロヘキサン−１−イロキシ］−７−メトキシ−キナゾリン、４−［（３−クロロ−４−フルオロ−フェニル）アミノ］−６−［シス−４−（Ｎ−アセチル−Ｎ−メチル−アミノ）−シクロヘキサン−１−イロキシ］−７−メトキシ−キナゾリン、４−［（３−クロロ−４−フルオロ−フェニル）アミノ］−６−（トランス−４−メチラミノ−シクロヘキサン−１−イロキシ）−７−メトキシ−キナゾリン、４−［（３−クロロ−４−フルオロ−フェニル）アミノ］−６−［トランス−４−（Ｎ−メタネスルフォニル−Ｎ−メチル−アミノ）−シクロヘキサン−１−イロキシ］−７−メトキシ−キナゾリン、４−［（３−クロロ−４−フルオロ−フェニル）アミノ］−６−（トランス−４−ジメチラミノ−シクロヘキサン−１−イロキシ）−７−メトキシ−キナゾリン、４−［（３−クロロ−４−フルオロ−フェニル）アミノ］−６−（トランス−４−｛Ｎ−［（モルフォリン−４−イル）カルボニル］−Ｎ−メチル−アミノ｝−シクロヘキサン−１−イロキシ）−７−メトキシ−キナゾリン、４−［（３−クロロ−４−フルオロ−フェニル）アミノ］−６−［２−（２，２−ジメチル−６−オキソ−モルフォリン−４−イル）−イロキシ］−７−［（Ｓ）−（テトラヒドロフラン−２−イル）メトキシ］−キナゾリン、４−［（３−クロロ−４−フルオロ−フェニル）アミノ］−６−（１−メタネスルフォニル−ピペリジン−４−イロキシ）−７−メトキシ−キナゾリン、４−［（３−クロロ−４−フルオロ−フェニル）アミノ］−６−（１−シアノ−ピペリジン−４−イロキシ）−７−メトキシ−キナゾリン及び４−［（３−クロロ−４−フルオロ−フェニル）アミノ］−６−｛１−［（２−メトキシエチル）カルボニル］−ピペリジン−４−エトキシ｝−７−メトキシ−キナゾリン、並びに、オプションとして、これらのラセミ化合物、エナンジアステレオマー、又は、ジアステレオマーの形態、及び、オプションとして、これらの薬理学的に容認できる酸添加���、溶媒化合物、及び（又は）、水和物の形態の中から選択される。
【０１０３】
酸添加塩、即ち、化合物が形成できる可能性のある薬理学的に容認できる酸を含む塩は、例えば、ヒドロクロリド（塩酸塩）、ヒドロブロミド（臭化水素酸塩）、ヒドリオジド（沃化水素酸）、ヒドロスルフェート（重硫酸塩）、ヒドロホスフェート、ヒドロメタンスルホネート、ヒドロニトレート、ヒドロマレアート、ヒドロアセテート、ヒドロベンゾエート、ヒドロシトレート、ヒドロフマレート、ヒドロタルトレート、ヒドロオキサレート、ヒドロスクシネート、ヒドロベンゾエート及びヒドロ−ｐ−トルエンスルホネート、好ましくは、ヒドロクロリド（塩酸塩）、ヒドロブロミド（臭化水素酸塩）、ヒドロスルフェート（重硫酸塩）、ヒドロホスフェート、ヒドロフマレート及びヒドロメタンスルホネート、ヒドロニトレート、ヒドロマレアートである。
【０１０４】
抗アレルギー薬の例は、クロモグリク酸二ナトリウム、ネドルロミルである。
【０１０５】
バッカクアルカロイドの誘導体の例は、ジヒドロエルゴタミン、エルゴタミンである。
【０１０６】
吸入のため、上述した活性物質、塩、エステル、及び、これら活性物質、塩、エステルの組合せを含む医薬配合物、医薬調合物、及び、混合物を用いることが可能である。
【図面の簡単な説明】
【０１０７】
【図１】非引っ張り状態にある公知のネブライザの概略断面図である。
【図２】図１と比較して９０°回転させた引っ張り状態にある公知のネブライザの概略断面図である。
【図３】第１の実施形態としての運搬管を備えた本発明のネブライザの縮尺通りではない概略断面図である。
【図４】第２の実施形態としての運搬管の概略断面図である。
【図５】図４の細部の拡大図である。
【図６】図４の細部の別の拡大図である。
【図７】図４の細部の別の拡大図である。
【図８】第３の実施形態としての運搬管の概略断面図である。
【図９】図８の細部の拡大図である。
【図１０】図８の細部の別の拡大図である。
【図１１】図８の細部の別の拡大図である。
【図１２】第４の実施形態としての運搬管の概略断面図である。
【図１３】図１２の細部の拡大図である。
【図１４】図１２の細部の別の拡大図である。
【図１５】第５の実施形態としての運搬管の概略断面図である。
【図１６】図１５の細部の拡大図である。
【図１７】第６の実施形態としての運搬管の概略断面図である。
【図１８】図１７の細部の拡大図である。
【図１９】第７の実施形態としての運搬管の縮尺通りではない概略断面図である。
【符号の説明】
【０１０８】
１  ネブライザ
２  流体
３  容器
４  袋
５  圧力発生器
６  ホルダ
７  駆動ばね
８  ロック要素
９  運搬管
１０  逆止弁
１１  圧力チャンバ
１２  放出ノズル
１３  マウスピース
１４  エーロゾル
１５  空気入口開口部
２１  穿刺要素
２２  端部（運搬管の端部）
２３  内側管
２４  外側管
２５  運搬チャネル
２６  環状空間
２７  保持領域
２８  浸漬管
２９  保持部分
３０  クロージャ
３１  弁領域
３２  弁部材
３３  弁座
３４  ビード
３５  連結部分
３６  突出部
３７  凹部
３８  円筒形部分
３９  スペーサ要素
４０  連結部材
４１  連結領域
【図１】
2008543466.tif 000003
【図２】
2008543466.tif 000004
【図３】
2008543466.tif 000005
【図４】
2008543466.tif 000006
【図５】
2008543466.tif 000007
【図６】
2008543466.tif 000008
【図７】
2008543466.tif 000009
【図８】
2008543466.tif 000010
【図９】
2008543466.tif 000011
【図１０】
2008543466.tif 000012
【図１１】
2008543466.tif 000013
【図１２】
2008543466.tif 000014
【図１３】
2008543466.tif 000015
【図１４】
2008543466.tif 000016
【図１５】
2008543466.tif 000017
【図１６】
2008543466.tif 000018
【図１７】
2008543466.tif 000019
【図１８】
2008543466.tif 000020
【図１９】
2008543466.tif 000021
【国際調査報告】
2008543466.tif 000022
2008543466.tif 000023